【手続補正書】
【提出日】平成20年11月13日(2008.11.13)
【手続補正１】
【補正対象書類名】明細書
【補正対象項目名】発明の名称
【補正方法】変更
【補正の内容】
【発明の名称】画像処理方法、画像処理システム、及び、撮像装置
【手続補正２】
【補正対象書類名】明細書
【補正対象項目名】特許請求の範囲
【補正方法】変更
【補正の内容】
【特許請求の範囲】
【請求項１】  点灯制御された光、又は、この光が照射された範囲を含む画角を撮像部に連続的に撮像させ、この画角から前記発光手段の光の像、又は、この発光手段の光が照射された範囲の像を抽出する抽出ステップと、
この抽出ステップにて抽出された像を符号化する符号化ステップと、
情報を生成し、前記符号化ステップにて符号化された像と対応付けて出力部に出力させる出力ステップと
からなることを特徴とする画像処理方法。
【請求項２】  点灯制御された光を発光する発光手段と、
この発光手段の光、又は、この発光手段の光が照射された範囲を含む画角を連続的に撮像する撮像手段と、
この撮像手段によって連続的に撮像されている画角から、前記発光手段の光の像、又は、この発光手段の光が照射された範囲の像を抽出する抽出手段と、
この抽出手段によって抽出された像を符号化する符号化手段と、
情報を生成する情報生成手段と、
前記符号化手段によって符号化された像と前記情報生成手段によって生成された情報とを対応付けて出力する出力手段と
を備えたことを特徴とする画像処理システム。
【請求項３】  前記情報生成手段は、前記点灯制御された光に基づいて前記情報を生成することを特徴とする請求項２に記載の画像処理システム。
【請求項４】  前記点灯制御とは時分割で点灯タイミングを制御することであり、
この点灯タイミングに同期するように、前記撮像手段における蓄光時間を制御する蓄光時間制御手段を更に備えたことを特徴とする請求項２又は３に記載の画像処理システム。
【請求項５】  前記光は収束された光ビームであるとともに、この光ビームの収束半径を調整する調整手段を更に備えたことを特徴とする請求項２乃至４の何れかに記載の画像処理システム。
【請求項６】  前記抽出手段によって抽出されている像の前記画角における位置を取得する位置取得手段を更に備え、
前記情報生成手段は、前記位置取得手段によって取得された位置情報を生成することを特徴とする請求項２乃至５の何れかに記載の画像処理システム。
【請求項７】  前記撮像手段は、
前記符号化手段によって符号化するため像を撮像する第１の撮像手段と、
前記情報生成手段によって生成された情報と関連付けさせる、前記第１の撮像手段によって撮像される像と同一の像を撮像する第２の撮像手段と、
を含むことを特徴とする請求項２に記載の画像処理システム。
【請求項８】  前記情報とは、前記符号化された像に係るイベントが記述された付加記述情報であることを特徴とする請求項７に記載の画像処理システム。
【請求項９】  点灯制御された光、又は、この光が照射された範囲を含む画角を連続的に撮像する撮像手段と、
この撮像手段によって連続的に撮像されている画角から、前記発光手段の光の像、又は、この発光手段の光が照射された範囲の像を抽出する抽出手段と、
この抽出手段によって抽出された像を符号化する符号化手段と、
情報を生成する情報生成手段と、
前記符号化手段によって符号化された像と前記情報生成手段によって生成された情報とを対応付けて出力する出力手段と
を備えたことを特徴とする撮像装置。
【請求項１０】  前記撮像手段は、前記発光手段の光、又は、前記発光手段の光が照射された範囲を含む画角を連続的に撮像し、
前記情報生成手段は、前記点灯制御された光に基づいて前記情報を生成することを特徴とする請求項９に記載の撮像装置。
【請求項１１】  前記点灯制御とは時分割で点灯タイミングを制御することであり、
この点灯タイミングに同期するように、前記撮像手段における蓄光時間を制御する蓄光時間制御手段を更に備えたことを特徴とする請求項９又は１０に記載の撮像装置。
【請求項１２】  前記抽出手段によって抽出されている像の前記画角における位置を取得する位置取得手段を更に備え、
前記情報生成手段は、前記位置取得手段によって取得された位置情報を生成することを特徴とする請求項９乃至１１の何れかに記載の撮像装置。
【請求項１３】  前記撮像手段は、
前記符号化手段によって符号化するため像を撮像する第１の撮像手段と、
前記情報生成手段によって生成された情報と関連付けさせる、前記第１の撮像手段によって撮像される像と同一の像を撮像する第２の撮像手段と、
を含むことを特徴とする請求項９に記載の撮像装置。
【請求項１４】  前記情報とは、前記符号化された像に係るイベントが記述された付加記述情報であることを特徴とする請求項１３に記載の撮像装置。
【手続補正３】
【補正対象書類名】明細書
【補正対象項目名】０００１
【補正方法】変更
【補正の内容】
【０００１】
【発明の属する技術分野】
本発明は、画像処理方法、画像処理システム、及び、撮像装置に関する。
【手続補正４】
【補正対象書類名】明細書
【補正対象項目名】０００６
【補正方法】変更
【補正の内容】
【０００６】
【課題を解決するための手段】
請求項１記載の発明は、点灯制御された光、又は、この光が照射された範囲を含む画角を撮像部に連続的に撮像させ、この画角から前記発光手段の光の像、又は、この発光手段の光が照射された範囲の像を抽出する抽出ステップと、この抽出ステップにて抽出された像を符号化する符号化ステップと、情報を生成し、前記符号化ステップにて符号化された像と対応付けて出力部に出力させる出力ステップとからなることを特徴とする。
【手続補正５】
【補正対象書類名】明細書
【補正対象項目名】０００７
【補正方法】変更
【補正の内容】
【０００７】
請求項２記載の発明は、点灯制御された光を発光する発光手段と、この発光手段の光、又は、この発光手段の光が照射された範囲を含む画角を連続的に撮像する撮像手段と、この撮像手段によって連続的に撮像されている画角から、前記発光手段の光の像、又は、この発光手段の光が照射された範囲の像を抽出する抽出手段と、この抽出手段によって抽出された像を符号化する符号化手段と、情報を生成する情報生成手段と、前記符号化手段によって符号化された像と前記情報生成手段によって生成された情報とを対応付けて出力する出力手段とを備えたことを特徴とする。
【手続補正６】
【補正対象書類名】明細書
【補正対象項目名】０００８
【補正方法】変更
【補正の内容】
【０００８】
請求項３記載の発明は、上記請求項２記載の発明において、前記情報生成手段は、前記点灯制御された光に基づいて前記情報を生成することを特徴とする。
【手続補正７】
【補正対象書類名】明細書
【補正対象項目名】０００９
【補正方法】変更
【補正の内容】
【０００９】
請求項４記載の発明は、上記請求項２又は３記載の発明において、前記点灯制御とは時分割で点灯タイミングを制御することであり、この点灯タイミングに同期するように、前記撮像手段における蓄光時間を制御する蓄光時間制御手段を更に備えたことを特徴とする。
【手続補正８】
【補正対象書類名】明細書
【補正対象項目名】００１０
【補正方法】変更
【補正の内容】
【００１０】
請求項５記載の発明は、上記請求項２又は４の何れかに記載の発明において、前記光は収束された光ビームであるとともに、この光ビームの収束半径を調整する調整手段を更に備えたことを特徴とする。
【手続補正９】
【補正対象書類名】明細書
【補正対象項目名】００１１
【補正方法】変更
【補正の内容】
【００１１】
請求項６記載の発明は、上記請求項２又は５の何れかに記載の発明において、前記抽出手段によって抽出されている像の前記画角における位置を取得する位置取得手段を更に備え、前記情報生成手段は、前記位置取得手段によって取得された位置情報を生成することを特徴とする。
【手続補正１０】
【補正対象書類名】明細書
【補正対象項目名】００１２
【補正方法】変更
【補正の内容】
【００１２】
請求項７記載の発明は、上記請求項２記載の発明において、前記撮像手段は、前記符号化手段によって符号化するため像を撮像する第１の撮像手段と、前記情報生成手段によって生成された情報と関連付けさせる、前記第１の撮像手段によって撮像される像と同一の像を撮像する第２の撮像手段と、を含むことを特徴とする。
【手続補正１１】
【補正対象書類名】明細書
【補正対象項目名】００１３
【補正方法】変更
【補正の内容】
【００１３】
請求項８記載の発明は、上記請求項７記載の発明において、前記情報とは、前記符号化された像に係るイベントが記述された付加記述情報であることを特徴とする。
【手続補正１２】
【補正対象書類名】明細書
【補正対象項目名】００１４
【補正方法】変更
【補正の内容】
【００１４】
請求項９記載の発明は、点灯制御された光、又は、この光が照射された範囲を含む画角を連続的に撮像する撮像手段と、この撮像手段によって連続的に撮像されている画角から、前記発光手段の光の像、又は、この発光手段の光が照射された範囲の像を抽出する抽出手段と、この抽出手段によって抽出された像を符号化する符号化手段と、情報を生成する情報生成手段と、前記符号化手段によって符号化された像と前記情報生成手段によって生成された情報とを対応付けて出力する出力手段とを備えたことを特徴とする。
【手続補正１３】
【補正対象書類名】明細書
【補正対象項目名】００１５
【補正方法】変更
【補正の内容】
【００１５】
請求項１０記載の発明は、上記請求項９記載の発明において、前記撮像手段は、前記発光手段の光、又は、前記発光手段の光が照射された範囲を含む画角を連続的に撮像し、前記情報生成手段は、前記点灯制御された光に基づいて前記情報を生成することを特徴とする。
【手続補正１４】
【補正対象書類名】明細書
【補正対象項目名】００１６
【補正方法】変更
【補正の内容】
【００１６】
請求項１１記載の発明は、上記請求項９又は１０記載の発明において、前記点灯制御とは時分割で点灯タイミングを制御することであり、この点灯タイミングに同期するように、前記撮像手段における蓄光時間を制御する蓄光時間制御手段を更に備えたことを特徴とする。
請求項１２記載の発明は、上記請求項９乃至１１の何れかに記載の発明において、前記抽出手段によって抽出されている像の前記画角における位置を取得する位置取得手段を更に備え、前記情報生成手段は、前記位置取得手段によって取得された位置情報を生成することを特徴とする。
請求項１３記載の発明は、上記請求項９記載の発明において、前記撮像手段は、前記符号化手段によって符号化するため像を撮像する第１の撮像手段と、前記情報生成手段によって生成された情報と関連付けさせる、前記第１の撮像手段によって撮像される像と同一の像を撮像する第２の撮像手段と、を含むことを特徴とする。
請求項１４記載の発明は、上記請求項１３記載の発明において、前記情報とは、前記符号化された像に係るイベントが記述された付加記述情報であることを特徴とする。
【手続補正１５】
【補正対象書類名】明細書
【補正対象項目名】００４７
【補正方法】変更
【補正の内容】
【００４７】
【発明の効果】
本発明によれば、処理対象となる部分画像の抽出を即時に、且つ簡単に行うことができ、例えば、ＭＰＥＧ４応用システムに用いて好適な技術を提供できる。
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】